(57)【要約】【課題】一般家庭や病院等の廊下や階段及びこれらに設置される手摺等に沿って任意の間隔で容易に取り付けることができ、節電のため夜間に廊下等の通常の照明を消灯した場合でも、極めて少ない消費電力で足下を明るく照らし、廊下の方向や手摺の位置、高さ及び方向等を認識できるような照明装置を提供する【解決手段】発光ダイオード６及び必要な電子部品８が取り付けられ発光ダイオード６を点灯させるために必要な回路が形成された基板２と、該基板を所定の照射角度で支持するように構成された基板キャリア３と、該基板キャリアを固定可能に構成されたベース４と、基板２及び基板キャリア３を覆うようにベース４に取付け可能に構成され発光ダイオード６から生じた光が透過するように構成されたカバー５とを備えた構成を特徴とする。【選択図】        図１
2004152618.tif 000002
【特許請求の範囲】
【請求項１】
少なくとも１個の発光ダイオード及び必要な電子部品が取り付けられ前記発光ダイオードを点灯させるために必要な回路が形成された基板と、該基板を所定の照射角度で支持するように構成された基板キャリアと、該基板キャリアを固定可能に構成されたベースと、前記基板及び前記基板キャリアを覆うように前記ベースに取付け可能に構成され前記発光ダイオードから生じた光が透過するように構成されたカバーとを備えたことを特徴とする照明装置。
【請求項２】
少なくとも１個の発光ダイオード及び必要な電子部品が取り付けられ前記発光ダイオードを点灯させるために必要な回路が形成された基板と、予め定められた複数通りの照射角度のうちから選択した照射角度で前記基板を支持可能に構成された基板キャリアと、該基板キャリアを固定可能に構成されると共に導電線の任意の位置に挾持状態で固定できるように蝶番により折畳み固定可能に構成され前記導電線の挾持固定時に該導電線と前記回路とを電気的に導通させる短絡金具を有するベースと、前記基板及び前記基板キャリアを覆うように前記ベースに取付け可能に構成され前記発光ダイオードから生じた光が透過するように構成されたカバーとを備えたことを特徴とする照明装置。
【請求項３】
所定の方向に夫々向けられた複数の発光ダイオード及び必要な電子部品が取り付けられ前記発光ダイオードを点灯させるために必要な回路が形成された基板と、予め定められた複数通りの照射角度のうちから選択した照射角度で前記基板を支持可能に構成された基板キャリアと、該基板キャリアを固定可能に構成されると共に導電線の任意の位置に挾持状態で固定できるように蝶番により折畳み固定可能に構成され前記導電線の挾持固定時に該導電線と前記回路とを電気的に導通させる短絡金具を有するベースと、前記基板及び前記基板キャリアを覆うように前記ベースに取付け可能に構成され前記発光ダイオードから生じた光が透過するように構成されたカバーとを備え、所定の方向に夫々向けられた複数の前記発光ダイオードにより極力広範囲が照らされるように構成したことを特徴とする照明装置。
【請求項４】
通路に沿って設置される手摺と、該手摺に所定の間隔で取り付けられ必要時に発光ダイオードが点灯して所定の範囲を照らし出すように構成された照明装置とを備え、該照明装置が足下を照らすと共に前記手摺の位置や設置高さ、該手摺の方向を示すように構成したことを特徴とする手摺装置。
【請求項５】
通路に沿って設置される手摺と、該手摺の下側に沿って配設された導電線と、該手摺の下側に前記導電線と電気的に導通するように所定の間隔で取り付けられ必要時に前記導電線から電力の供給を受けて発光ダイオードが点灯し所定の範囲を照らし出すように構成された照明装置とを備え、該照明装置が前記手摺の位置や設置高さ、該手摺の方向を示すと共に、該手摺の全長にわたって足下を照らすことができるように構成したことを特徴とする手摺装置。
【発明の詳細な説明】
【０００１】
【発明の属する技術分野】
本発明は、消費電力が極端に少ないにもかかわらずかなりの照度がある発光ダイオードを使用した補助的な照明装置に係り、特に一般家庭や病院等の廊下や階段及びこれらに設置される手摺等に沿って任意の間隔で容易に取り付けることができ、節電のため夜間に廊下等の通常の照明を消灯した場合でも、足下が明るく照らされ、廊下の方向や手摺の位置、高さ及び方向等を認識でき、かつ電力消費が極めて少なく廊下や階段及び手摺等に多数の設置が可能でしかも半永久的に使用可能な照明装置に関する。
【０００２】
【従来の技術】
病院等の施設の廊下や階段、スロープ等の通路には、足の弱った人や怪我人、病人等の歩行補助用に手摺が設置されている。起床時間から消灯時間までの間は、自然光や蛍光灯等の照明装置によって通路が明るく照らされているので、通路の方向や手摺の場所等を容易に認識することができ、通路を普通に歩くことも、また手摺を利用して歩くことも容易である。
【０００３】しかし消灯時間を過ぎると、施設によっては節電のため非常口の緑色の誘導灯や消火設備の赤色灯等の一部の照明を残して、大多数の照明装置が減光又は消灯されてしまう。このような施設では消灯時間後に通路を歩いて移動しようとすると、視力が良い人でも方向を誤って迷ってしまったり、また手摺を利用したくてもなかなか見つけることができなかったり、見つけたとしても該手摺の方向がよく見えなくてその先に目的の場所があるのかどうかもよくわからない等、種々の問題があった。視力が弱い人にとっては、尚更困難であった。
【０００４】手摺は一般家庭の廊下や階段等にも広く利用されているが、廊下や階段等の照明装置は、人が通行しないときには消しておくことが多く、老人等が通行する際に照明装置を点灯させることができない場合には、薄暗い廊下で手摺を探し当て、該手摺に頼りながら慎重に歩かなければならないといった問題があった。
【０００５】一方、近年超低消費電力で半永久的な寿命を持つ発光ダイオードが注目を集めており、特に青色発光ダイオードの開発によってあらゆる色が出せるようになったことや、超高輝度発光ダイオードの開発等によって、急速に利用分野が広まっている（例えば特許文献１から特許文献８）。
【０００６】しかしこれらの従来例は、フィラメント電球を発光ダイオードに置換して省電力化、長寿命化を図っただけものであって、病院等の施設の廊下や階段等の通路やその手摺に補助照明として実際に設置する場合の施工の容易性や発光ダイオードの照射角度の設定等については何ら考慮されていなかった。
【０００７】
【特許文献１】特開２００１−５２５０４号公報
【特許文献２】特開２０００−２００５１２号公報
【特許文献３】特開２０００−２１２０９号公報
【特許文献４】特開２０００−１１７０６号公報
【特許文献５】特開平１１−３０６８２４号公報
【特許文献６】特開平１１−２７３４２３号公報
【特許文献７】登録実用新案第３０５６６４６号公報
【特許文献８】登録実用新案第３０３５６７８号公報
【０００８】
【発明が解決しようとする課題】
本発明は、上記した従来技術の欠点を除くためになされたものであって、その目的とするところは、少なくとも１個の発光ダイオード及び必要な電子部品が取り付けられ発光ダイオードを点灯させるために必要な回路が形成された基板と、該基板を所定の照射角度で支持するように構成された基板キャリアと、該基板キャリアを固定可能に構成されたベースと、基板及び基板キャリアを覆うようにベースに取付け可能に構成され発光ダイオードから生じた光が透過するように構成されたカバーとを備えることによって、一般家庭や病院等の手摺に多数取り付けても、極めてわずかな消費電力で暗い通路を照らすことができ、また手摺の場所を明示できるようにすると共に、半永久的に使用できるようにすることであり、またこれによって夜間の歩行を容易かつ安全に行うことができるようにすることである。
【０００９】また他の目的は、上記構成において、予め定められた複数通りの照射角度のうちから選択した照射角度で基板を支持可能に構成された基板キャリアと、基板キャリアを固定可能に構成されると共に導電線の任意の位置に挾持状態で固定できるように蝶番により折畳み固定可能に構成され導電線の挾持固定時に該導電線と回路とを電気的に導通させる短絡金具を有するベースとを備えることによって、特殊な工具を用いなくても導電線への接続及び取付けができるようにして施工を容易にすると共に、設置場所に応じて発光ダイオードの照射角度を任意に近く選択することができるようにして、設置の自由度を高めることである。
【００１０】更に他の目的は、上記構成において、複数の発光ダイオードを所定の方向に夫々向けることによって、一定間隔で照明装置を取り付けた場合であっても、足下に暗い場所がなるべくできないようにすることであり、またこれによって歩行の際の安全性を高めて歩行者の不安感を解消することである。
【００１１】また他の目的は、通路に沿って設置される手摺と、該手摺に所定の間隔で取り付けられ必要時に発光ダイオードが点灯して所定の範囲を照らし出すように構成された照明装置とを備え、該照明装置が足下を照らすと共に手摺の位置や設置高さ、該手摺の方向を示すように構成することによって、消灯時間後の暗い通路であっても、手摺の場所や方向等を明示できるようにすることであり、またこれによって通路の歩行を安全にかつ容易に行うことができるようにすることである。
【００１２】更に他の目的は、上記構成において、手摺の下側に沿って導電線を配設し、該手摺の下側に導電線と電気的に導通するように照明装置を所定の間隔で取り付け、手摺の全長にわたって足下を照らすことができるように構成することによって、手摺の位置を明示すると共に足下をなるべく広く照らして、夜間であっても不安なく通路を歩行できるようにすることであり、またこれによって脚力が弱りつつある人の歩行の機会が多くなるようにして、脚力の維持及び増進に貢献できるようにすることである。
【００１３】
【課題を解決するための手段】
要するに本発明照明装置（請求項１）は、少なくとも１個の発光ダイオード及び必要な電子部品が取り付けられ前記発光ダイオードを点灯させるために必要な回路が形成された基板と、該基板を所定の照射角度で支持するように構成された基板キャリアと、該基板キャリアを固定可能に構成されたベースと、前記基板及び前記基板キャリアを覆うように前記ベースに取付け可能に構成され前記発光ダイオードから生じた光が透過するように構成されたカバーとを備えたことを特徴とするものである。
【００１４】また本発明照明装置（請求項２）は、少なくとも１個の発光ダイオード及び必要な電子部品が取り付けられ前記発光ダイオードを点灯させるために必要な回路が形成された基板と、予め定められた複数通りの照射角度のうちから選択した照射角度で前記基板を支持可能に構成された基板キャリアと、該基板キャリアを固定可能に構成されると共に導電線の任意の位置に挾持状態で固定できるように蝶番により折畳み固定可能に構成され前記導電線の挾持固定時に該導電線と前記回路とを電気的に導通させる短絡金具を有するベースと、前記基板及び前記基板キャリアを覆うように前記ベースに取付け可能に構成され前記発光ダイオードから生じた光が透過するように構成されたカバーとを備えたことを特徴とするものである。
【００１５】また本発明照明装置（請求項３）は、所定の方向に夫々向けられた複数の発光ダイオード及び必要な電子部品が取り付けられ前記発光ダイオードを点灯させるために必要な回路が形成された基板と、予め定められた複数通りの照射角度のうちから選択した照射角度で前記基板を支持可能に構成された基板キャリアと、該基板キャリアを固定可能に構成されると共に導電線の任意の位置に挾持状態で固定できるように蝶番により折畳み固定可能に構成され前記導電線の挾持固定時に該導電線と前記回路とを電気的に導通させる短絡金具を有するベースと、前記基板及び前記基板キャリアを覆うように前記ベースに取付け可能に構成され前記発光ダイオードから生じた光が透過するように構成されたカバーとを備え、所定の方向に夫々向けられた複数の前記発光ダイオードにより極力広範囲が照らされるように構成したことを特徴とするものである。
【００１６】また本発明手摺装置（請求項４）は、通路に沿って設置される手摺と、該手摺に所定の間隔で取り付けられ必要時に発光ダイオードが点灯して所定の範囲を照らし出すように構成された照明装置とを備え、該照明装置が足下を照らすと共に前記手摺の位置や設置高さ、該手摺の方向を示すように構成したことを特徴とするものである。
【００１７】また本発明手摺装置（請求項５）は、通路に沿って設置される手摺と、該手摺の下側に沿って配設された導電線と、該手摺の下側に前記導電線と電気的に導通するように所定の間隔で取り付けられ必要時に前記導電線から電力の供給を受けて発光ダイオードが点灯し所定の範囲を照らし出すように構成された照明装置とを備え、該照明装置が前記手摺の位置や設置高さ、該手摺の方向を示すと共に、該手摺の全長にわたって足下を照らすことができるように構成したことを特徴とするものである。
【００１８】
【発明の実施の形態】
以下本発明を図面に示す実施例に基いて説明する。本発明に係る照明装置１は、図１から図７において、基板２と、基板キャリア３と、ベース４と、カバー５とを備えている。
【００１９】基板２は、図３から図５に示すように、所定の方向に夫々向けられた複数の発光ダイオード６及び必要な電子部品８が取り付けられ、発光ダイオード６を点灯させるために必要な回路（図示せず）が形成されたものである。
【００２０】発光ダイオード６は、例えば２個使用されており、照射範囲が適度に広がるように、夫々反対向きに傾斜して取り付けられている。この傾斜角度は、直立状態から例えば夫々２０°であり、２個の発光ダイオード６の挾角は計４０°である。発光ダイオード６の発光色は白色系が基本であるが、これは設置場所により任意であり、トイレやロビー等、特定の場所への経路ごとに色を変えることも可能である。
【００２１】電子部品８は、例えば抵抗器、ダイオード、トランス、コンデンサ等であって、発光ダイオード６の特性や数によって適宜必要なものを選択して用いる。また直流電源と交流電源を用いる場合では使用する電子部品及び回路が異なる。図示の実施例では、交流電源を用いることを想定しているが、基板２の回路を直流電源用のものにすれば、例えば乾電池を照明装置１内に内蔵して該乾電池を電源として発光ダイオード６を点灯させることも可能である。
【００２２】この他基板２には、電力供給を受けるためのコネクタ９が取り付けられている。コネクタ９の２本の端子金具９ａは、夫々基板２の回路に電気的に接続されている。
【００２３】基板キャリア３は、図５に示すように、予め定められた複数通りの照射角度のうちから選択した任意の照射角度で基板２を支持可能に構成されたものであって、基板２の両端を支持するように２個使用されている。
【００２４】基板キャリア３には、例えば４段階のうちから照射角度を選択することができるように、基板取付け溝４ａ，４ｂ，４ｃ，４ｄが形成されると共に、基板キャリア３をベース４に取り付けるための係合爪４ｅが形成されている。このうち基板取付け溝４ａは、図９に示すように、カバー５が真下に向くように照明装置１を設置した場合に、基板取付け溝４ａに取り付けられた基板２が水平から１０°傾斜するように形成されている（第１段階）。同様に基板取付け溝４ｂは２７．５°（第２段階）、基板取付け溝４ｃは５５°（第３段階）そして基板取付け溝４ｄは８０°（第４段階）に設定されている。なお、これらの段階の数及び角度は、この実施例に限定されるものではなく、任意である。
【００２５】ベース４は、図１から図７に示すように、基板キャリア３を固定可能に構成されると共に、導電線１０の任意の位置に挾持状態で固定できるように蝶番４ａにより折畳み固定可能に構成され、導電線１０の挾持固定時に該導電線１０と回路とを電気的に導通させる短絡金具１１を有するものである。
【００２６】ベース４は、上部体４ｂと下部体４ｃとが蝶番４ａによって折り畳むことができるように構成されており、下部体４ｃには導電線１０がちょうど収まるような、例えば２本の溝部４ｄが形成され、夫々の溝部４ｄには、該溝部４ｄの裏側から短絡金具１１が差し込まれて突出した状態となっている。
【００２７】上部体４ｂにも下部体４ｃの溝部４ｄに対応する溝部４ｅが形成されているが、その長さは下部体４ｃの溝部４ｄよりも短く形成されている。これは、導電線１０が見えないように照明装置１を設置する場合に、該導電線１０を照明装置１の全長の範囲内で折り曲げて、設置場所の壁等に通すことができるようにするためである。
【００２８】上部体４ｂには、例えば２箇所の爪部４ｆが形成されており、下部体４ｃには、上部体４ｂと下部体４ｃの折畳み時に爪部４ｆが係合する係合部４ｇが形成されている。また上部体４ｂには、図５、図１３及び図１４に示すように、取付け用のねじ１２を通すための貫通穴４ｈが、例えば２箇所形成されている。この他上部体４ｂには、補強のためのリブ４ｉが適宜形成されている。
【００２９】下部体４ｃには、基板キャリア３の係合爪３ｅが係合するための係合穴４ｊやカバー５の取付けの際に該カバー５に係合する爪部４ｋが形成され、基板２の放熱口も兼ねた作業穴４ｍも形成されている。また下部体４ｃの下側の縁には、図７に示すように、カバー５を外す際に工具（図示せず）を差し込んでこじるための凹部４ｎが形成されている。
【００３０】短絡金具１１は、図６及び図７に示すように、例えばＬ字形に折り曲げられた導電板であって、導電線１０の心線１０ｂの本数に合わせて２個用いられており、絶縁性を高めるために適度に離間して取り付けられている。鋭利に形成された先端１１ａは、ベース４の下部体４ｃに形成された溝部４ｄに、導電線１０の被覆１０ａの厚さよりも長く突出し、平面部１１ｂは下部体４ｃの下側、即ち基板２が取り付けられる側に位置している。
【００３１】平面部１１ｂには、導電線１３が夫々半田付けされ、該導電線１３の端部にはコネクタ１４が取り付けられている。コネクタ１４は基板２上のコネクタ９に差し込まれるようになっており、端子金具１４ａがコネクタ９の端子金具９ａと電気的に導通するようになっている。
【００３２】カバー５は、図１、図３及び図４に示すように、基板２及び基板キャリア３を覆うようにベース４に取付け可能に構成され、発光ダイオード６から生じた光が透過するように、一部が透明、他の部分が半透明に構成されたものであって、例えば蒲鉾形に形成され、発光ダイオード６の光が透過する透明の窓部５ａが、発光ダイオード６の数に合わせて２箇所形成されている。カバー５の両方の端面には、ベース４の爪部４ｋが係合する係合穴５ｂが夫々形成されている。
【００３３】窓部５ａは、図３及び図４に示すように、発光ダイオード６が例えば４０°の挾角で取り付けられていることを考慮し、かつ基板キャリア３によって選択可能な照射角度の範囲内において発光ダイオード６の光を透過するように透明に構成されており、その他の部分は半透明に構成されている。
【００３４】カバー５の窓部５ａがない側には、ベース４の係合部４ｇの形状とカバー５の形状が合うように凹部５ｃが形成されている。なお凹部５ｃは、カバー５の強度を増す役割も果たしている。また窓部５ａによる透過範囲を上記のように一定範囲に限定する必要はなく、特に窓部を設けずに、全体を透明にして、カバー５の全面から光が透過するようにしてもよい。
【００３５】本発明に係る手摺装置２１は、図１７及び図１８において、手摺２２と、導電線（図示せず）と、照明装置１とを備えている。
【００３６】手摺２２は、通路の一例たる階段２３や廊下等に沿って設置される通常の手摺である。図示の実施例では、階段２３に適宜直立状態で設置された支柱２４の上端に取り付けられているが、壁に取り付けるようにしてもよく、設置形式はどのようなものであってもよい。
【００３７】導電線は、手摺２２の下側に沿って配設されたものであって、照明装置１に電力を供給するためのものである。導電線は、手摺２２の下側に密着するように配設してもよいし、照明装置１の取付け箇所のみ露出させて、それ以外の部分は手摺２２の内部を通すようにしてもよい。利用者（図示せず）が手摺２２を握ったときに、手が導電線に触れないようにした方が安全上好ましいからである。
【００３８】照明装置１は、手摺２２の下側に導電線と電気的に導通するように所定の間隔で取り付けられ、必要時に導電線から電力の供給を受けて発光ダイオード６が点灯し、所定の範囲を照らし出すように構成されたものであって、上記した照明装置１と同様のものである。従って照明装置１については、同一の部分には図面に同一の符号を付して、その説明を省略する。
【００３９】なお照明装置１の取付け場所は、手摺２２の下側に限られるものではなく、側面に取り付けてもよい。また導電線は照明装置１の取付け場所に応じて配線を行えばよい。
【００４０】本発明は、上記のように構成されており、以下その作用について説明する。まず本発明に係る照明装置１の作用について説明すると、図１３、図１４及び図１７に示すように、照明装置１の取付けは、貫通穴４ｈにねじ２５を通して、取付け場所である、例えば既存の手摺２２や、天井２６、壁２８等に該ねじ２５をねじ込むことで行うことができる。
【００４１】導電線１０の接続作業は、図８に示すように、折り畳まれていないベース４のうち下部体４ｃの溝部４ｄに導電線１０を合わせ、蝶番４ａを中心にして上部体４ｂを折り畳むと、導電線１０は溝部４ｄ，４ｅにより挾持され、かつ爪部４ｆが係合部４ｇに係合して折畳み状態で固定される。なお、上部体４ｂの溝部４ｅに導電線１０を合わせて、下部体４ｃ側を折り畳むようにしてもよい。
【００４２】このとき２個の短絡金具１１の先端１１ａが導電線１０の被覆１０ａを突き破って２本の心線１０ｂに夫々食い込むので、該短絡金具１１が該心線１０ｂと電気的に導通した状態となる。短絡金具１１は、導電線１３、コネクタ１４，９を通じて基板２と導通しているので、導電線１０から基板２に電力が供給可能な状態となる。
【００４３】このように照明装置１の取付けには、ねじ２５を締め付けるための工具（図示せず）があればよく、また導電線１０の接続には特殊な工具は何ら必要ではなく、短時間で確実な取付けが可能である。
【００４４】照明装置１は、導電線１０の途中に取り付けるようになっているので、導電線１０を取付け場所に露出させて配線しておけば、好きな場所に照明装置１を取り付けることができる。
【００４５】例えば新築住宅のように、導電線１０の露出を望まない場合には、図１５に示すように、予め照明装置１の取付け場所を決めておき、その場所だけ導電線１０が露出するようにして、残りの部分は壁２８等に埋設すればよい。上部体４ｂの溝４ｅは、該上部体４ｂの全長よりも短く形成されているので、該溝４ｅの両端で導電線１０を折り曲げて、該導電線１０を壁２６等に埋設すれば、導電線１０は全く露出することがないので、施工の仕上がりもよく、また安全である。
【００４６】照射角度は、図９から図１２に示すように、基板２の取付けに際し、基板キャリア３の基板取付け溝３ａ，３ｂ，３ｃ，３ｄのいずれかを選択することにより行うので、その作業は極めて簡単である。図９は、第１段階である基板取付け溝３ａに基板２を取り付けた状態を示しており、このときの照射方向は、図１６において、矢印Ａ１の方向となる。
【００４７】図１０は、第２段階である基板取付け溝３ｂに基板２を取り付けた状態を示しており、このときの照射方向は、図１６において、矢印Ａ２の方向となる。図１１は、第３段階である基板取付け溝３ｃに基板２を取り付けた状態を示しており、このときの照射方向は、図１６において、矢印Ａ３の方向となる。そして図１２は、第４段階である基板取付け溝３ｄに基板２を取り付けた状態を示しており、このときの照射方向は、図１６において、矢印Ａ４の方向となる。
【００４８】参考として、発光ダイオード６の位置から横方向に４００ｍｍの位置における、照射中心点の位置を算出すると、図１６に示すように、発光ダイオード６の高さ位置から下方に、第２段階の場合で７６８．３９ｍｍ、第３段階の場合で２８０．０８ｍｍ、そして第４段階の場合で７０．５３ｍｍとなる。
【００４９】図１７及び図１８に示すように、照明装置１を手摺装置２１に用い、電力を供給すると、発光ダイオード６がすべて点灯して光３２を発し、蛍光灯等の照明装置（図示せず）が消灯されていても、手摺２２の場所や位置、方向等が明示されると共に、選択した照射角度に応じて階段２３が明るく照らされるので、手摺２２をすぐに見つけることができ、また足下もよく見えるため、手摺２２を利用して安全に階段２３を通行することができる。
【００５０】発光ダイオード６は、例えば挾角４０°で互いに反対側に向けて取り付けられているので、階段２３の上下方向にも照射範囲が広く、数珠つなぎに取り付けられた照明装置１によって、手摺２２の全長にわたって階段２３を照らすことが可能である。
【００５１】また図１９及び図２０に示すように、照明装置１は、ある場所（例えば非常口のドア３０）に向かう通路２９の壁２８や天井２６に所定の間隔で取り付けることも可能である。このような通路２９では、夜間には非常口誘導灯３１のみが点灯していることが多いが、照明装置１が通路２９を照らしていれば、平常時の夜間でも、また非常時においても、安全に通行することが可能である。
【００５２】発光ダイオード６を、取付け場所ごとに異なる発光色のものにしておけば、照明装置１自体がその場所への案内表示となるので、夜間等に歩行する人が、通路を間違えて迷ったりすることを防止することができる。
【００５３】周知のように、発光ダイオード６は消費電力が従来のフィラメント電球や蛍光灯等（図示せず）と比較して極めて少ない（例えば０．１Ｗ程度）ため、単純計算すると、１箇所の蛍光灯（例えば６０Ｗ）を点灯させるために必要な電力で、６００個の発光ダイオード６を点灯させることが可能である。
【００５４】従って照明装置１を手摺２２や階段２３、通路２９等に多数個取り付けて、夜間等に点灯させておくことが現実的に可能となる。また余計な熱を発しないため、手摺２２に取り付けた場合でも該手摺２２が過熱することもない。
【００５５】なお上記実施例においては、カバー５を蒲鉾形に形成するものとしたが、これに限るものではなく、照明装置１を壁（図示せず）に埋め込むような場合には、例えばベース４を箱形に成形して、カバー５を平面状に形成してもよい。
【００５６】また照明装置１の取付けは、ねじ２５によるものとしたが、これに限るものではなく、安定的に取り付けることができれば、どのような手段を用いてもよい。
【００５７】更に導電線１０の接続を、ベース４の折畳みによる挾持固定により行うこととしたが、これに限るものではなく、特殊な工具を用いることなく、簡易にかつ確実に接続できるものであれば、どのような手段を用いてもよい。また電源としては交流電源だけでなく、直流電源（例えば乾電池）を用いてもよい。
【００５８】
【発明の効果】
本発明は、上記のように少なくとも１個の発光ダイオード及び必要な電子部品が取り付けられ発光ダイオードを点灯させるために必要な回路が形成された基板と、該基板を所定の照射角度で支持するように構成された基板キャリアと、該基板キャリアを固定可能に構成されたベースと、基板及び基板キャリアを覆うようにベースに取付け可能に構成され発光ダイオードから生じた光が透過するように構成されたカバーとを備えたので、一般家庭や病院等の手摺に多数取り付けても、極めてわずかな消費電力で暗い通路を照らすことができる効果があり、また手摺の場所を明示できると共に、半永久的に使用できる効果があり、またこの結果夜間の歩行を容易かつ安全に行うことができるようになるという効果が得られる。
【００５９】また上記構成において、予め定められた複数通りの照射角度のうちから選択した照射角度で基板を支持可能に構成された基板キャリアと、基板キャリアを固定可能に構成されると共に導電線の任意の位置に挾持状態で固定できるように蝶番により折畳み固定可能に構成され導電線の挾持固定時に該導電線と回路とを電気的に導通させる短絡金具を有するベースとを備えたので、特殊な工具を用いなくても導電線への接続及び取付けができるため、施工を容易化することができると共に、設置場所に応じて発光ダイオードの照射角度を任意に近く選択することができる効果があり、設置の自由度を高めることができるという効果がある。
【００６０】更には、上記構成において、複数の発光ダイオードを所定の方向に夫々向けることができるようにしたので、一定間隔で照明装置を取り付けた場合であっても、足下に暗い場所がなるべくできないようにすることができ、またこの結果歩行の際の安全性を高めて歩行者の不安感を解消することができる効果がある。
【００６１】また通路に沿って設置される手摺と、該手摺に所定の間隔で取り付けられ必要時に発光ダイオードが点灯して所定の範囲を照らし出すように構成された照明装置とを備え、該照明装置が足下を照らすと共に手摺の位置や設置高さ、該手摺の方向を示すように構成したので、消灯時間後の暗い通路であっても、手摺の場所や方向等を明示できる効果があり、またこの結果通路の歩行を安全にかつ容易に行うことができるという効果がある。
【００６２】更には、上記構成において、手摺の下側に沿って導電線を配設し、該手摺の下側に導電線と電気的に導通するように照明装置を所定の間隔で取り付け、手摺の全長にわたって足下を照らすことができるように構成したので、手摺の位置を明示すると共に足下をなるべく広く照らして、夜間であっても不安なく通路を歩行できるという効果があり、またこの結果脚力が弱りつつある人の歩行の機会が多くなるように支援できるため、脚力の維持及び増進に貢献できるという効果が得られる。
【図面の簡単な説明】
【図１】導電線に取り付けられた照明装置の斜視図である。
【図２】導電線に取り付けられた照明装置の平面図である。
【図３】照明装置の正面図である。
【図４】導電線に取り付けられた照明装置の側面図である。
【図５】照明装置の分解斜視図である。
【図６】ベースの下部体の斜視図である。
【図７】ベースの下部体の下から見た斜視図である。
【図８】ベースを折り畳んで導電線を挾持固定する前の照明装置の斜視図である。
【図９】基板キャリアの基板取付け溝の第１段階に基板を取り付けた照明器具の斜視図である。
【図１０】基板キャリアの基板取付け溝の第２段階に基板を取り付けた照明器具の斜視図である。
【図１１】基板キャリアの基板取付け溝の第３段階に基板を取り付けた照明器具の斜視図である。
【図１２】基板キャリアの基板取付け溝の第４段階に基板を取り付けた照明器具の斜視図である。
【図１３】手摺の下部に取り付けられた照明装置の部分縦断面側面図である。
【図１４】壁に取り付けられた照明装置の部分縦断面側面図である。
【図１５】壁における導電線の配線状態及び該導電線に取り付けられた照明装置を示す部分横断面平面図である。
【図１６】基板キャリアの基板取付け溝の選択により設定可能な４段階の照射角度を示す線図である。
【図１７】階段に取り付けられた手摺装置において、照明装置が階段を照らしている状態を示す側面図である。
【図１８】階段に取り付けられた手摺装置において、照明装置が階段を照らしている状態を示す部分拡大側面図である。
【図１９】通路の壁に取り付けられた照明装置が通路を照らしている状態を示す斜視図である。
【図２０】通路の天井に取り付けられた照明装置が通路を照らしている状態を示す斜視図である。
【符号の説明】
１    照明装置
２    基板
３    基板キャリア
４    ベース
４ａ  蝶番
５    カバー
６    発光ダイオード
８    電子部品
１０    導電線
１１    短絡金具
２１    手摺装置
２２    手摺
２３    通路の一例たる階段
２９    通路
【図１】
2004152618.tif 000003
【図２】
2004152618.tif 000004
【図３】
2004152618.tif 000005
【図４】
2004152618.tif 000006
【図５】
2004152618.tif 000007
【図６】
2004152618.tif 000008
【図７】
2004152618.tif 000009
【図８】
2004152618.tif 000010
【図９】
2004152618.tif 000011
【図１０】
2004152618.tif 000012
【図１１】
2004152618.tif 000013
【図１２】
2004152618.tif 000014
【図１３】
2004152618.tif 000015
【図１４】
2004152618.tif 000016
【図１５】
2004152618.tif 000017
【図１６】
2004152618.tif 000018
【図１７】
2004152618.tif 000019
【図１８】
2004152618.tif 000020
【図１９】
2004152618.tif 000021
【図２０】
2004152618.tif 000022